(57)【要約】【課題】    耐熱性および高温耐力などの高温特性だけではなく、高温疲労強度に優れたAl合金鍛造材を提供することを目的とする。【解決手段】    Cu:4.0〜7.0%、Mg:0.2〜0.4%、Ag:0.05 〜0.7%、V:0.05% 〜0.15% を含み、残部アルミニウムおよび不可避的不純物からなるアルミニウム合金鍛造材であって、鍛造材組織中のAl-V系析出物の分布密度を1.5 個/(μm)3 以上として、耐熱性および高温耐力などの高温特性とともに、高温疲労強度にも優れたものとする。【選択図】      無し 【特許請求の範囲】
【請求項１】
Cu:4.0〜7.0%、Mg:0.2〜0.4%、Ag:0.05 〜0.7%、V:0.05% 〜0.15% を含み、残部アルミニウムおよび不可避的不純物からなるアルミニウム合金鍛造材であって、鍛造材組織中のAl-V系析出物の分布密度が1.5 個/(μm)3 以上であることを特徴とする高温疲労強度に優れたアルミニウム合金鍛造材。
【請求項２】
前記アルミニウム合金鍛造材が、Cu:4.0〜7.0%、Mg:0.2〜0.4%、Ag:0.05 〜0.7%、V:0.05% 〜0.15% を含み、残部アルミニウムおよび不可避的不純物からなるアルミニウム合金鋳造材を、500 〜535 ℃の温度で15時間以上均質化熱処理後、280 〜430 ℃の温度で熱間鍛造し、その後510 〜545 ℃の温度で溶体化および焼入れ処理したものである高温疲労強度に優れたアルミニウム合金鍛造材。
【発明の詳細な説明】
【技術分野】
【０００１】
本発明は、2000系アルミニウム合金鍛造材 (以下、アルミニウムを単にAlとも言う) に関し、特に高温疲労強度に優れ、他の高温特性 (耐熱性および高温耐力) にも優れたAl合金鍛造材に関するものである。
【背景技術】
【０００２】
ロケットや航空機などの航空・宇宙機材用、鉄道車両、自動車、船舶などの輸送機材用、あるいはエンジン部品、コンプレッサーなどの機械部品用、具体的には、回転ローターや回転インペラー或いはピストンなどの、特に100 ℃を超える高温の使用環境となるAl合金製部品には、高温特性に優れたAl合金鍛造材が用いられる。この高温特性とは、前記高温下での耐クリープ特性および高温耐力である。
【０００３】
従来、これらの所謂耐熱性Al合金鍛造材には、AA規格乃至JIS 規格の 2000 系( 以下、単に2000系と言う)Al 合金が用いられている。この種Al合金としては、2219、2618などがある。しかし、これらの2000系 Al 合金は、120 ℃を越える高温では、長時間使用すると強度の低下が著しい。
【０００４】
このため、120 ℃を越える高温使用環境でのクリープ特性や高温耐力を改善するために、近年では、2219Al合金にMgを0.3%添加した2519Al合金(Al-6.1Cu-0.3Mn-0.15Zr-0.1V)が開発されている。また、この2519Al合金にAgを添加した2519(Ag)Al合金も開発されている。そして、これら2519Al合金や2519(Ag)Al合金に関連したAl合金も多数提案されている (例えば、特許文献１、２参照）。
【０００５】
また、本発明者らも、高い高温特性を再現性良く保証することが可能な耐熱Al合金材を提案した。この内容は、Cu:1.5〜7.0%、Mg:0.01 〜2.0%を含み、更に、選択的にAg:0.05 〜0.7%を含む耐熱Al合金の、θ' 相および/ またはΩ相について、θ' 相の平均サイズを120 nm以下およびθ' 相の析出物間の平均間隔を100 nm以下とすること、Ω相の平均サイズを100 nm以下およびΩ相の析出物間の平均間隔を150 nm以下とすることである (特許文献３、非特許文献１参照) 。
【特許文献１】特開昭62-112748 号公報
【特許文献２】米国特許第4610733 号明細書
【特許文献３】特開平11-302764 号公報
【非特許文献１】軽金属学会第93回秋期大会講演概要(1997 年 10 月20日発行、233 〜          234 頁)
【０００６】
また、前記高温特性が要求される用途部品は、基本的に肉厚の円筒形状や多数の羽根を周囲に設けた複雑形状を有している。このため、Al合金材によりこれらの部品を製造する場合には、Al合金のバルク状 (塊状) の鋳塊を熱間鍛造加工（熱間鍛造後冷間鍛造することも含む）した鍛造材から切削加工により部品とされている。そして、これら用途部品は、狭い空間乃至クリアランスを高速で摺動乃至回転するため、高い寸法精度や平滑性が厳しく要求される。このため、これら用途に使用されるAl合金材には、前記高温特性に加えて高い精密切削加工性、即ち被削性が要求される。
【０００７】
このため、本発明者らは、高速動部品用の耐熱Al合金鍛造材の高い高温特性とともに高速動部品への切削加工における被削性を保証するために、Al合金鍛造材の溶体化処理後のミクロ組織がθ' 相および/ またはΩ相を有するとともに、結晶粒径を500 μm 以下の等軸再結晶粒とすることも提案した (特許文献４参照) 。
【特許文献４】特開2000-119786 号公報
【０００８】
しかし、これらの技術により、高温特性に優れたAl合金鍛造材を冶金的に設計したとしても、実際に製造されるAl合金鍛造材において、溶体化処理および焼入れ処理後の高温の人工時効硬化処理を施しても、耐力が向上せず、この種Al合金鍛造材 (耐熱Al合金鍛造材) に要求される人工時効硬化処理後の耐力が低くなり、高温使用時の耐力も低くなる場合が生じる。このため、本発明者らは、溶体化処理後の焼入れ速度の影響に注目し、400 ℃から290 ℃の間の平均冷却速度が30000 ℃/ 分以下と焼入れ速度 (冷却速度) が遅く (小さく) なる場合には、特に、Al合金鍛造材中のZr、Cr、Mnを、Zr:0.09%以下、Cr:0.05%以下、Mn:0.6% 以下に各々規制することを提案した (特許文献５参照) 。
【特許文献５】特開2001-181771 号公報
【発明の開示】
【発明が解決しようとする課題】
【０００９】
しかし、これら耐熱性および高温耐力などの高温特性に優れるAl合金鍛造材であっても、高温疲労強度特性向上の課題に対しては、なお改良の余地がある。即ち、これら特許文献4 や5 などの改良されたAl合金鍛造材であっても、高温での応力負荷使用条件下における疲労強度 (高温疲労強度) は、回転曲げ疲労試験 (最大応力130MPa、応力比−1 、150 ℃の条件下) で、破断繰り返し数が(3〜6)×106 回程度である。したがって、より高い高温疲労強度が要求される製品用途に対しては、更なる改良が必要であった。
【００１０】
本発明はこの様な事情に着目してなされたものであって、その目的は、耐熱性および高温耐力などの高温特性だけではなく、高温疲労強度に優れたAl合金鍛造材を提供しようとするものである。
【課題を解決するための手段】
【００１１】
この目的を達成するために、本発明アルミニウム合金鍛造材の要旨は、Cu:4.0〜7.0%、Mg:0.2〜0.4%、Ag:0.05 〜0.7%、V:0.05% 〜0.15% を含み、残部アルミニウムおよび不可避的不純物からなるアルミニウム合金鍛造材であって、鍛造材組織中のAl-V系析出物の分布密度が1.5 個/(μm)3 以上であることとする。
【００１２】
また、この鍛造材組織中のAl-V系析出物の分布密度を1.5 個/(μm)3 以上とするために、好ましくは、前記アルミニウム合金鍛造材が、Cu:4.0〜7.0%、Mg:0.2〜0.4%、Ag:0.05 〜0.7%、V:0.05% 〜0.15% を含み、残部アルミニウムおよび不可避的不純物からなるアルミニウム合金鋳造材を、500 〜535 ℃の温度で15時間以上均質化熱処理後、280 〜430 ℃の温度で熱間鍛造し、その後510 〜545 ℃の温度で溶体化および焼入れ処理したものであることとする。
【００１３】
なお、合金元素含有量の% 表示は全て質量% を意味する。また、上記鍛造材組織中におけるAl-V系化合物の分布密度の規定は、調質されたアルミニウム合金鍛造材についての規定である。
【発明の効果】
【００１４】
本発明者らは、先に特願2003-90660号として、アルミニウム合金鍛造材の耐熱性および高温耐力などの高温特性を向上させるために、合金元素としてV を含む鍛造材発明を出願した。しかし、本発明者らは、合金元素としてV を実質量含んだとしても、製造条件によっては、実際に製造した鍛造材組織中に析出するAl-V系化合物の量が少なくなり、高温特性のうちでも、特に、高温疲労強度の向上に限界があることを知見した。事実、上記特願2003-90660号の高温疲労強度は、回転曲げ疲労試験 (最大応力130MPa、応力比−1 、150 ℃の条件下) で、破断繰り返し数が(3〜6)×106 回[(3 〜6)e6とも記す] 程度である。
【００１５】
これに対して、本発明では、含んだV を高温疲労強度を高めるに足る量( 個数) 、Al-V系化合物として鍛造材組織中に析出させる。この結果、含有量としては同程度のV を含むが、鍛造材組織中に析出するAl-V系化合物の量が比較的少ないような鍛造材に比して、高温疲労強度を著しく向上させることができる。
【発明を実施するための最良の形態】
【００１６】
(Al-V系析出物の分布密度) 
本発明では、鍛造材を、耐熱性および高温耐力などの高温特性だけではなく、高温疲労強度に優れたものとするために、鍛造材組織中のAl-V系析出物の分布密度を1.5 個/(μm)3 以上とする。Al-V系析出物の分布密度が1.5 個/(μm)3 未満では高温疲労強度を著しく向上させることができない。
【００１７】
アルミニウム合金鍛造材の高温疲労強度を保障するためには、鍛造材組織全般に亙って、または、少なくとも高温疲労強度を必要とする鍛造材部位で、このようなAl-V系析出物の分布密度規定を満足することが好ましい。
【００１８】
Al-V系析出物の分布密度は、後述する調質処理 (熱処理) 後の鍛造材組織の、1 万倍の透過型電子顕微鏡観察(TEM) による観察で測ることができる。即ち、鍛造材の各部位の組織全般に亙って複数箇所、または、少なくとも高温疲労強度を必要とする鍛造材部位の上記観察により、顕微鏡視野内のAl-V系析出物 (分散粒子) 個数を計測して、μm3当たりの個数に換算することができる。Al-V系析出物の分布密度測定は特に高温疲労強度を必要とする鍛造材部位の1 箇所でも良いが、再現性を持たせるためには、複数箇所の測定が好ましい。複数箇所の測定の場合は、Al-V系析出物の分布密度は、勿論、この複数測定箇所の測定値の平均値となる。
【００１９】
なお、上記 1万倍の透過型電子顕微鏡観察において、Al-V系析出物の他の析出物との区別は、組織中の分散粒子 (析出物) の形態的特徴などで、目視により識別可能である。しかし、更に正確さを期す場合には、EPMA(X線マイクロアナリシス) を用いて、鍛造材組織中の析出物を構成する元素と元素量(Al-V 系析出物の場合はV)を同定し、他の析出物と識別しても良い。
【００２０】
(Al-V系析出物の分布密度向上方法) 
本発明のように、合金元素として含んだV を、Al-V系析出物の分布密度が1.5 個/(μm)3 以上となるように、鍛造材組織中に析出させるためには、V を含んだ本発明成分組成からなる鋳造材を、長時間の均質化熱処理を施す必要がある。即ち、500 〜535 ℃の温度で15時間以上の長時間の均質化熱処理を施す必要がある。
【００２１】
通常、この種鋳造材は、500 〜535 ℃の温度で、最大でも15時間未満、多くは8 時間程度の処理時間で、均質化熱処理される。このような短時間の均質化熱処理条件であっても、鋳造材の均質化自体は図れる。しかし、V は、その拡散速度が他の元素に比して著しく遅い。このため、このような短時間の均質化熱処理条件では、均質化熱処理中に、合金元素として含んだV が固溶したままとなって、Al-V系化合物として、高温疲労強度を著しく向上できるだけの実質量、即ち、鍛造材組織中のAl-V系析出物の分布密度で1.5 個/(μm)3 以上析出させることができない。
【００２２】
(Al合金鍛造材の製造工程) 
以下に、本発明鍛造材の製造方法について説明する。本発明におけるAl合金鍛造材の製造条件や製造手段は、上記均質化熱処理の時間以外は、従来と基本的に同じである。言い換えると、Al合金鍛造材の製造条件や製造手段を大きく変えない点が、本発明の利点でもある。
【００２３】
鋳造では、本発明の成分範囲内に溶解調整されたAl合金溶湯を、連続鋳造圧延法、半連続鋳造法（DC鋳造法）等の通常の溶解鋳造法を適宜選択して鋳造して鋳塊を製作する。
【００２４】
この鋳塊を500 〜535 ℃の温度で、上記長時間均質化熱処理後、熱間鍛造してAl合金鍛造材を製造する。なお、鍛造用の素材としては、鋳塊を押出、圧延加工した、押出材や圧延材を使用しても良い。ここにおいて、前記均質化熱処理の温度が500 ℃未満では鋳塊の晶出物が固溶せず、均質化が不十分となる。一方、前記均質化熱処理の温度が535 ℃を越えると、バーニングが生じる可能性が高くなる。したがって、前記均質化熱処理の温度は500 〜535 ℃の範囲とする。
【００２５】
熱間鍛造の温度条件は、その設計高温特性通りに、Al合金鍛造材を再現性良く製造するために重要である。従来では、自由鍛造や型鍛造 (鍛伸鍛造) などの公知の鍛造手段を単独あるいは組み合わせて、適宜採るにせよ、Al合金鍛造材の溶体化処理後のミクロ組織を等軸結晶粒とするために、熱間鍛造温度を380 〜430 ℃程度としていた。この熱間鍛造温度が低いと、Al合金鍛造材の組織が局部的に混粒となりやすく、高温特性が低下すると認識していたためである。
【００２６】
この点、本発明では、熱間鍛造温度を再結晶温度以下の280 〜430 ℃の温度範囲とすることが好ましい。熱間鍛造温度が430 ℃を越えると、本発明の成分範囲内のAl合金鍛造材には粗大粒が生じやすくなる。このため、Al合金鍛造材の高温特性が低下し、高温特性に優れたAl合金鍛造材を再現性良く製造することができない。一方、熱間鍛造温度が280 ℃未満では、熱間鍛造時に割れが生じ易く、鍛造加工自体が困難となる。
【００２７】
本発明では、熱間鍛造の温度を280 〜430 ℃としても、本発明の成分範囲内のAl合金鍛造材では、溶体化および焼入れ処理の適切化により、Al合金鍛造材の調質後のミクロ組織は等軸結晶粒となり、混粒とはならない。
【００２８】
なお、Al合金鍛造材の前記ミクロ組織は、熱間鍛造の鍛練比にも影響される。したがって、Al合金鍛造材の場合に、前記ミクロ組織を等軸結晶粒とするためには、前記適宜の熱間鍛造の鍛練比を1.5 以上とすることが好ましい。鍛練比が1.5 未満であれば、Al合金鍛造材の組織が混粒となりやすい。さらに、鍛練の方向は一方向だけではなく、少なくとも、異なる2 方向で行い、各方向での鍛練比を1.5 以上とすることが更に好ましい。
【００２９】
次に、溶体化および焼入れ処理について説明する。この溶体化および焼入れ処理において、可溶性金属間化合物を再固溶し、かつ冷却中の再析出を可能な限り抑制するためには、JIS-H-4140、AMS-H-6088などに規定された条件内にて行うことが好ましい。ただし、たとえAMS-H-6088等の規格によって熱処理を行っても、溶体化処理温度が高すぎるとバーニングを生じ、機械的性質を著しく低下させる。そして、溶体化処理温度が下限以下の温度であると人工時効硬化処理後の室温での耐力が400MPa以上とならず、また溶体化自体も困難となる。従って、溶体化処理温度の上限は545 ℃とし、下限は510 ℃とする。
【００３０】
ここで、φ100 mm程度までの小物部品やピストンなどの用途において、残留応力が比較的大きくても、例えば切削などの加工上問題とならない製品については、溶体化および焼入れ処理後に人工時効硬化処理を施し、調質T6材とすることが望ましい。この場合、残留応力が比較的大きくなっても、高い強度特性及び高温特性を得る為に、焼入れ温度は40℃以下であることが望ましい。また、この焼入れ温度が高いと、人工時効硬化処理後の室温での耐力を400MPa以上とするのが困難となる。
【００３１】
一方、ロータなど大型の製品では、焼入れ処理時に、製品表面と中央部との冷却速度が大きく異なるため、製品表面には10kgf/mm2 を越える高い残留応力が発生する。このような高い残留応力が発生すると、製品の切削加工時に大きな歪みが生じ、精密な切削加工が極めて困難となる。また、最悪の場合、切削加工中に残留応力による割れなどの破壊が生じることもある。例え、切削加工中に割れなどの破壊が生じなくても、材料中に残存する晶出物等の金属間化合物を起点として、あるいは製品搬送中に生じた僅かな表面傷等を起点として、製品の長期間使用中に、き裂が伝播成長しやすく、最終破断に至る可能性もある。したがって、ロータなど残留応力が問題となる製品については、残留応力を好ましくは3.0kgf/mm2以下に除去乃至低減するため、溶体化処理後の水焼入れ温度を90℃以上の比較的高温とし、その後人工時効硬化処理を施し、調質T61 材とすることが好ましい。
【００３２】
また、用途によっては、製品の大小に関わらず、残留応力が厳しく管理される製品もある。このような製品については、残留応力を極力小さくすべく、冷間圧縮乃至冷間加工を加えて、残留応力を好ましくは3kgf/mm2以下に除去乃至低減し、人工時効硬化処理を施して調質T652材とすることが好ましい。これらの製品では、残留応力を好ましくは3kgf/mm2以下に除去乃至低減し、高い強度特性及び高温特性を得る為、焼入れ温度は40℃以下であることが好ましい。この焼入れ温度が高いと、人工時効硬化処理後の室温での耐力を400MPa以上とするのが困難となる。前記冷間圧縮乃至冷間加工の冷間圧縮 (加工) 量が小さいと十分な残留応力の低減効果が得られない。一方、冷間圧縮量が大きいと、人工時効硬化処理中や高温での使用中に、θ' 相の析出量が増加する為、耐力が低下しやすい。従って、冷間圧縮 (加工) は、圧縮 (加工) 率1 〜5 % とすることが好ましい。
【００３３】
その後、これらAl合金鍛造材は前記用途部品に加工される。勿論、Al合金鍛造材を、前記用途製品に加工後に、溶体化、焼入れ処理および冷間圧縮や人工時効硬化処理などを適宜行っても良い。
【００３４】
溶体化処理および焼入れ処理などの調質 (熱処理) に用いる炉はバッチ炉、連続焼鈍炉、溶融塩浴炉、オイル炉などが適宜使用可能である。また、焼入れに際しての冷却手段も、ユーコンクウェルチャント、水浸漬、温水浸漬、沸騰水浸漬、水噴射、空気噴射などの手段が適宜選択可能となる。
【００３５】
このようにして得られた本発明Al合金鍛造材の平均結晶粒径は、1mm 以下の、好ましくは10〜500 μm の範囲の、更に好ましくは50〜300 μm の範囲の、ほぼ一定サイズの微細な再結晶粒 (等軸再結晶粒) である。そして前記混粒組織に見られるような、粒径が1 μm 以下の微細な再結晶粒( 或いは亜結晶粒) が集合体化した集団や、数mm〜数cm程度の粗大な再結晶粒、あるいは残存する鋳塊組織もなく、良好なクリープ特性などの高温特性と被削性とを兼ね備える。
【００３６】
ただ、本発明における好ましい等軸再結晶粒の組織とは、前記一定サイズの等軸再結晶粒が100%のみの組織を必ずしも意味するものではなく、前記被削性やクリープ破断強度などの高温特性を低下させない範囲での、鋳造組織や混粒組織の混入は許容する。例えば、粒径が1 μm 以下の微細な再結晶粒( 或いは亜結晶粒) は、単一の結晶粒が個々に分散して存在しても、前記被削性やクリープ破断強度などの高温特性を低下させない。しかし、これがお互いにくっついた形で集団化乃至集合体化した場合に被削性や高温特性を低下させるようになる。したがって、この点からは、溶体化処理後のミクロ組織において、集合体化している1 μm 以下の微細再結晶粒の面積率は10% 以下とすることが好ましい。
【００３７】
なお、本発明で言う等軸再結晶粒の特定および混粒組織の有無は、試料を電解エッチング等によりミクロエッチングを行い、これを50〜400 倍の光学顕微鏡により観察乃至測定可能である。
【００３８】
次に、本発明のAl合金鍛造材組織において、高温耐力やクリープ破断強さなどの高温特性をより高めるためには、溶体化処理および焼入れ処理後に、160 〜190 ℃×7 〜60時間の範囲から選択することによって、Al合金の(100) 面に析出するθ' 相、(111) 面に析出するΩ相を析出させることが、好ましい。人工時効硬化処理によるこれらの析出がないと、前記人工時効硬化処理された場合でも180 ℃などの温度での高温耐力が低くなる。
【００３９】
なお、Al合金鍛造材組織中のθ' 相とΩ相の析出状態の同定は、50000 倍の透過型電子顕微鏡(TEM) による組織観察および必要により前記EPMAを用いることにより行える。
【００４０】
（鍛造材の化学成分組成）
次に、本発明Al合金鍛造材における、化学成分組成について説明する。本発明のAl合金の化学成分組成は、基本的に2519  或いは2618などのAl合金および2519にAgを加えた2519(Ag)系Al合金の成分規格として良いが、より具体的な用途および要求特性に応じて、以下に説明する成分組成範囲から適宜選択しうる。先ず、積極的含有元素について述べる。
【００４１】
(Cu:4.0 〜7.0%) 
Cuは本発明Al合金鍛造材の基本成分であり、固溶強化及び析出強化の双方の作用により、主としてAl合金鍛造材の本発明用途において要求される、常温と高温のクリープ特性および高温耐力、更には高温疲労強度を確保するために必須である。より具体的には、Cuは、前記した通り、高温の人工時効硬化処理時に、θ' 相やΩ相を、Al合金の(100) 面や(111) 面に微細でかつ高密度に析出させ、人工時効硬化処理後のAl合金鍛造材の強度を向上させる。この効果は4.0%以上で発揮され、Cuの含有量が4.0%未満では上述の効果が小さく、Al合金鍛造材の常温と高温での十分なクリープ特性および高温耐力が得られない。一方、Cuの含有量が7.0%を越えると、強度が高くなりすぎ、Al合金鍛造材の鍛造性が低下する。したがって、Cuの含有量は4.0 〜7.0%の範囲とする。
【００４２】
(Mg:0.2 〜0.4%) 
MgもCuと同様に、固溶強化及び析出強化の双方の作用により、主としてAl合金鍛造材の常温と高温での十分なクリープ特性および高温耐力更には高温疲労強度を確保するために必須である。より具体的には、MgもCuと同様に、高温の人工時効硬化処理時に、θ' 相やΩ相を、Al合金鍛造材の(100) 面や(111) 面に微細でかつ高密度に析出させ、人工時効硬化処理後のAl合金鍛造材の強度を向上させる。この効果は0.2%以上で発揮され、Mgの含有量が0.21% 未満ではこの効果が発揮されず、Al合金鍛造材の常温と高温での十分なクリープ特性および高温耐力が得られない。一方、Mgの含有量が0.4%を越えると、強度が高くなりすぎ、溶体化処理時にバーニングと称される割れが発生したり、鍛造性を低下させる可能性が高くなる。したがって、Mgの含有量は0.2 〜0.4%の範囲とする。
【００４３】
(Ag:0.05〜0.7%) 
AgはAl合金鍛造材中において、微細で均一なΩ相を形成するとともに、析出物相が存在しない領域(PFZ;solute-depleted precipitate free zone) の幅を極めて狭くすることによりAl合金鍛造材の常温および高温強度を向上させるために必須である。Agの含有量が0.05% 未満ではこの効果がなく、また一方でAgの含有量が0.7%を越えて含有しても効果は飽和する。したがって、Agの含有量は0.05〜0.7%の範囲とする。
【００４４】
(V:0.05%〜0.15% ) 
V は、Al-V系化合物として鍛造材組織中に析出し、高温疲労強度を向上させるために必須の元素である。均質化熱処理時に、V はAl合金鍛造材組織中で熱的に安定な化合物であるAl-V系分散粒子を析出させ、この析出物が再結晶後の粒界移動を妨げる作用があるため、平均結晶粒径を500 μm 以下に微細化させる、結晶粒粗大化防止の効果がある。この結果、Al合金鍛造材のミクロ組織を繊維組織化して、常温強度および高温強度、そして特に高温疲労強度を向上させる。そして、安定相を粗大に析出させる作用がZr、Cr、Mnに比して比較的小さい。
【００４５】
この効果を発揮するためには0.05% 以上の含有が必要であり、0.05% 未満ではV の含有量が不足し、上記した15時間以上の長時間の均質化熱処理によっても、鍛造材組織中のAl-V系析出物を分布密度で1.5 個/(μm)3 以上析出させることができない。一方、V の含有量が0.15% を越えると、溶解鋳造時に粗大な不溶性金属間化合物を生成しやすく、成形不良および破壊の原因となる。したがって、V は0.05% 〜0.15% の範囲で含有させる。
【００４６】
以下に、規制することが好ましい元素について説明する。
Zr 、Cr、Mnは、前記V と同様に、均質化加熱処理時にそれぞれAl合金鍛造材組織中で熱的に安定な化合物であるAl-Zr 系、Al-Cr 系、Al-Mn 系の分散粒子を析出させる。そして、この分散粒子が、Al合金鍛造材のミクロ組織を繊維組織化して、常温強度および高温強度を向上させる効果を有する。
【００４７】
しかし、溶体化処理後の焼入れ処理において、400 ℃から290 ℃の間の平均冷却速度が30000 ℃/ 分以下に遅くなった場合、これらZr、Cr、Mnを含有していると、溶体化処理後の焼入れ処理において、焼入れの過程で、AlCu2 などの安定相が、前記Al-Cr 系、Al-Zr 系、Al-Mn 系の分散粒子の周囲に粗大に析出してしまう。この結果、次に高温の前記人工時効硬化処理を行っても、120 ℃の温度で100 時間使用された後に310MPa以上などの高温での耐力が得られない。したがって、Al合金鍛造材の焼入れ感受性を下げるために、好ましくは、Zr:0.09%以下、Cr:0.05%以下、Mn:0.8% 以下、各々に規制することが好ましい。
【００４８】
Feは0.15% 以下に規制することが好ましい。ただ、スクラップ等からの混入もあり、Al合金鍛造材の高温特性を向上させる効果もあるので、0.15% の含有までは許容する。0.15% を越えて含有すると、不溶性金属間化合物を生成し、成形不良および破壊の原因となりやすい。
【００４９】
SiはMgと結合してAl合金鍛造材組織中にMg2Si およびAl-Fe-Si系の晶出物を形成する。このため、高温の人工時効硬化処理時にθ' 相やΩ相を析出させ、人工時効硬化処理後のAl合金鍛造材の強度を向上させるために必要なMgが消費されてしまうので、人工時効硬化処理後のAl合金材の強度が低下する。Mgの含有量はCuに比して、元々少ないので、このSiによる影響は大きい。また、溶体化処理により、前記大部分の晶出物は固溶するが、過剰なMg2Si が形成されると溶体化処理においても残存して破断の起点になるため、成形性が低下する。したがって、Siは0.1%以下に規制することが好ましい。
【００５０】
この他、Tiは、鋳造時の結晶粒を微細化するが、過剰に添加すると粗大な金属間化合物を形成し成形加工時の破断の起点になるため、成形性が低下する。したがって、Tiは0.1%以下までの含有は許容される。
【００５１】
したがって、本発明の好ましい態様では、Al合金鍛造材の人工時効硬化処理後の耐力が低くなり、高温使用時の耐力も低くなることを防止するために、Al合金鍛造材合金中の以下の元素を、Si:0.1% 以下、Fe:0.15%以下、Zr:0.09%以下、Cr:0.05%以下、Mn:0.8% 以下、Ti: 0.1%以下に各々規制することが好ましい。
【００５２】
また、上記以外のZn、Ni、B などの元素については、本発明に係るAl合金鍛造材の高温特性やその他の特性を阻害しない範囲での含有あるいは2000系Al合金の上限規格程度は許容される。
【実施例１】
【００５３】
次に本発明の実施例を説明する。V を含むアルミニウム合金鍛造材組織中のAl-V系析出物の分布密度と高温疲労強度との関係、Al-V系析出物の分布密度への均質化熱処理時間の影響を調べた。
【００５４】
即ち、表1 に示す、主としてV 含有量が異なる、A 〜C の本発明範囲内の化学成分組成、およびD 、E の本発明範囲外の化学成分組成のAl合金鋳塊 (500mm φ×2000mml)を各々溶製した後、全て510 ℃の温度で、処理時間のみを表2 に示すように種々変えて、均質化熱処理 (空気炉) を施した。
【００５５】
この均質化熱処理後の鋳塊を、各例とも熱間鍛造にて、各方向での鍛練比が1.5 以上となるように、150 mm角( 厚み) の角棒および80mm角 (厚み) の角棒としたものを、300mmlの長さに切断してAl合金鍛造材を製造した。各例とも、このAl合金鍛造材を空気炉で加熱速度200 ℃/hr で昇温し、528 ℃×6 hrの溶体化処理後、表2 に各々示す種々の焼入れ温度で水焼入れを行い(400℃から290 ℃の間の平均冷却速度は30000 ℃/ 分以上) 水中で10分保持後に取り出した。
【００５６】
この内、厚みが80mmのAl合金鍛造材 (発明例5)については、小物部品やピストンなどの残留応力が比較的大きくても良い用途を模擬して、溶体化処理後に30℃の低温の水焼入れ処理し、その後に175 ℃×18hrの人工時効硬化処理を施した調質T6材とした。
【００５７】
また、前記厚みが150mm のAl合金鍛造材については、残留応力が問題となる用途を模擬して、前記溶体化処理後に91℃の温水焼入れして残留応力を低減し、冷間圧縮加工を加えずに、175 ℃×18hrの人工時効硬化処理を施した、調質T61 材とした。
【００５８】
なお、この厚みが150mm の内、発明例6 については、残留応力が問題となる用途を模擬して、溶体化処理後に30℃の水焼入れ処理し、0.8%の冷間圧縮率で冷間圧縮加工を加えて残留応力を低減し、175 ℃×18hrの人工時効硬化処理を施し、調質T652材とした。
【００５９】
これらの調質Al合金鍛造材から供試材を採取し、供試材の室温 (最大応力190MPa、応力比−1 ) と、150 ℃の高温 (最大応力130MPa、応力比−1 ) での、各疲労強度を求めた。この疲労強度は、回転曲げ疲労試験により、平行部の径を8mm Φ、平行部の長さを20mmとし、♯1000のエミリーペーパー仕上げとした、丸棒状試験片に、前記応力を繰り返し与え、破壊に到る繰り返し回数を調査した。測定結果を表2 に示す。なお、表2 では、破断繰り返し回数が、例えば1.2 ×107 回の場合には1.2e7 、9.0 ×106 回の場合には9.0e6 、と表示している。
【００６０】
引張特性として、室温での機械的特性 (引張強さσB :MPa、0.2%耐力σ0.2:MPa 、伸びδ:%) と、高温特性として、180 ℃×100hr の高温に供試材を暴露した際の、その温度での機械的特性 (σB 、σ0.2 、伸び) 、更に、204 ℃での1000hrクリープ破断強度、シャルピー衝撃値(J/cm2) を測定した。これら丸棒状試験片は平行部10mmΦ×28mml とした。これらの測定結果も表2 に示す。
【００６１】
また、供試材の長手方向に100mm ずつ間隔を開けた3 箇所の組織中のAl-V系析出物の分布密度[ 個/(μm)3 ] を、前記した方法で測定し、平均化した。これらのAl-V系析出物の平均分布密度測定結果も表2 に示す。
【００６２】
更に、表2 における各発明例および12を除く比較例においては、上記3 箇所の組織中の、前記した各条件でのミクロ組織観察を行い、Al合金組織が等軸で、平均結晶粒径が50〜500 μmmの範囲の一定サイズの粒径であり、更に(100) 面上にθ' 相、(111) 面上にΩ相が各々析出していることを確認した。
【００６３】
以下に、表1 と表2 とから明らかな事項を述べる。
V を含むA 〜C の本発明範囲内の化学成分組成を有する発明例1 〜6 は、15時間以上の均質化熱処理を施されており、鍛造材組織中のAl-V系析出物の分布密度が1.5 個/(μm)3 以上である。この結果、室温の疲労強度とともに、高温での疲労強度が8.0e6 (8.0×106)以上と優れている。
【００６４】
ただ、同一合金における均質化熱処理時間が20時間と長い発明例と15時間と比較的短い発明例同士の比較において、発明例1 の方が発明例2 よりも、鍛造材組織中のAl-V系析出物の分布密度が比較的高く、高温での疲労強度が比較的優れている。
【００６５】
これに対し、表1 に示すA 〜C の本発明範囲内の合金を用いても、均質化熱処理時間が8 時間あるいは12時間と短い、比較例7 〜10は、上記発明例よりも、鍛造材組織中のAl-V系析出物の分布密度が1.5 個/(μm)3 未満と顕著に低く、特に高温での疲労強度が著しく劣っている。
【００６６】
更に、V 含有量が低めに外れる合金例D を用いた比較例11は、均質化熱処理時間が20時間と長いにもかかわらず、上記発明例よりも、鍛造材組織中のAl-V系析出物の分布密度が1.5 個/(μm)3 未満と顕著に低く、特に高温での疲労強度が著しく劣っている。
【００６７】
また、V 含有量が高めに外れる合金例E を用いた比較例12は、前記鍛造材の組織観察で、他の例には無い、粗大な金属間化合物が観察された。よって、機械的性質が劣ることは明らかなので、具体的な測定、確認を行なわなかった。
【００６８】
したがって、これらの結果から、高温疲労強度に対する鍛造材組織中のAl-V系析出物の分布密度規定の臨界的な意義、Al-V系析出物の分布密度向上への均質化熱処理時間の意義が裏付けられる。
【００６９】
【表１】
2005082816.tif 000002
【００７０】
【表２】
2005082816.tif 000003
【産業上の利用可能性】
【００７１】
本発明によれば、耐熱性および高温耐力などの高温特性だけではなく、高温疲労強度に優れたAl合金鍛造材を提供することができる。したがって、ロケットや航空機などの航空・宇宙機材用、鉄道車両、自動車、船舶などの輸送機材用、あるいはエンジン部品、コンプレッサーなどの機械部品用等、回転ローターや回転インペラー或いはピストンなどの、特に100 ℃を超える高温の使用環境での高温疲労強度が特に要求されるAl合金製部品に適用できる。